(57)【要約】【課題】  グリップ部材が手によくなじんで確実に把持することができて使い心地が良い刈込鋏を提供する。【解決手段】  柄部材１が金属製パイプから成り、柄部材１がその基端４に略円柱状木製グリップ部材５を有する刈込鋏である。グリップ部材５がその先端６に一文字型切れ目７を有する。グリップ部材５の先端６が柄部材１の基端４に挿入されると共に、板片状くさび８が切れ目７に圧入されて柄部材１の内面９に先端６が密着状に固着されている。【選択図】  図３
0003102867.tif 000002
【実用新案登録請求の範囲】
【請求項１】
柄部材（１）が金属製パイプから成り、該柄部材（１）がその基端（４）に略円柱状木製グリップ部材（５）を有する刈込鋏であって、上記グリップ部材（５）がその先端（６）に切れ目（７）を有し、該グリップ部材（５）の上記先端（６）が上記柄部材（１）の上記基端（４）に挿入されると共に、くさび（８）が上記切れ目（７）に圧入されて上記柄部材（１）の内面（９）に上記先端（６）が密着状に固着されていることを特徴とする刈込鋏。
【請求項２】
柄部材（１）が、両端（11）が軸心（Ｌ）直交面状に切断されたアルミパイプから成り、該柄部材（１）がその基端（４）に略円柱状天然木製グリップ部材（５）を有する刈込鋏であって、上記グリップ部材（５）がその先端（６）に切れ目（７）を有し、該グリップ部材（５）の上記先端（６）が上記柄部材（１）の上記基端（４）に挿入されると共に、くさび（８）が上記切れ目（７）に圧入されて上記柄部材（１）の内面（９）に上記先端（６）が密着状に固着されていることを特徴とする刈込鋏。
【請求項３】
柄部材（１）が金属製パイプから成り、該柄部材（１）がその基端（４）に略円柱状木製グリップ部材（５）を有する刈込鋏であって、上記グリップ部材（５）がその先端（６）に一文字型切れ目（７）を有し、該グリップ部材（５）の上記先端（６）が上記柄部材（１）の上記基端（４）に挿入されると共に、板片状くさび（８）が上記切れ目（７）に圧入されて上記柄部材（１）の内面（９）に上記先端（６）が密着状に固着されていることを特徴とする刈込鋏。
【考案の詳細な説明】
【技術分野】
【０００１】
本考案は、刈込鋏に関する。
【背景技術】
【０００２】
従来の刈込鋏は、プラスチック製またはゴム製の有底の一方開口状グリップ部材を、金属製パイプの柄部材に、外嵌し接着したものが公知である。
【０００３】
しかし、使用するときにグリップ部材が（プラスチックやゴムから成るので）手に馴染み難いという欠点や、離脱する場合もあった。
【考案の開示】
【考案が解決しようとする課題】
【０００４】
解決しようとする課題は、使用時にグリップ部材が手に馴染み難く、かつ、柄部材から不意に抜ける点にある。
【課題を解決するための手段】
【０００５】
そこで、本考案に係る刈込鋏は、柄部材が金属製パイプから成り、該柄部材がその基端に略円柱状木製グリップ部材を有する刈込鋏であって、上記グリップ部材がその先端に切れ目を有し、該グリップ部材の上記先端が上記柄部材の上記基端に挿入されると共に、くさびが上記切れ目に圧入されて上記柄部材の内面に上記先端が密着状に固着されているものである。
【０００６】
また、柄部材が、両端が軸心直交面状に切断されたアルミパイプから成り、該柄部材がその基端に略円柱状天然木製グリップ部材を有する刈込鋏であって、上記グリップ部材がその先端に切れ目を有し、該グリップ部材の上記先端が上記柄部材の上記基端に挿入されると共に、くさびが上記切れ目に圧入されて上記柄部材の内面に上記先端が密着状に固着されているものである。
【０００７】
また、柄部材が金属製パイプから成り、該柄部材がその基端に略円柱状木製グリップ部材を有する刈込鋏であって、上記グリップ部材がその先端に一文字型切れ目を有し、該グリップ部材の上記先端が上記柄部材の上記基端に挿入されると共に、板片状くさびが上記切れ目に圧入されて上記柄部材の内面に上記先端が密着状に固着されているものである。
【考案の効果】
【０００８】
本考案の刈込鋏によれば、グリップ部材が（木製であるので）手によくなじんで確実に把持することができて使い心地が良い。
【考案を実施するための最良の形態】
【０００９】
図１は、本考案の第１の実施の形態を示し、この刈込鋏は、植木の剪定に適用されるものであって、２本の柄部材１を相互に揺動させて各柄部材１の先端２に連設された刃３によって剪定を行なうものである。
【００１０】
柄部材１は、両端11（すなわち、先端２及び基端４）が軸心直交面状に切断されたアルミパイプから成る。柄部材１はその基端４に略円柱状天然木製グリップ部材５を有する。図２に示すように、グリップ部材５はその先端６に一文字型切れ目７を有する。
【００１１】
図３に示すように、グリップ部材５の先端６が柄部材１の基端４に挿入されると共に、板片状くさび８が切れ目７に圧入されて柄部材１の内面９に先端６が密着状に固着されている。
【００１２】
次に、グリップ部材５を柄部材１に固着する方法について、説明する。まず、図４に示すように、グリップ部材５の先端６を柄部材１の基端４に挿入する。次に、２点鎖線にて示すような保持具Ｈにてくさび８を保持して、矢印Ｙ方向にくさび８を移動させ、グリップ部材５の切れ目７にくさび８を打込む。
【００１３】
図３に戻って、グリップ部材５を柄部材１に固着した状態では、グリップ部材５の先端６が（自然状態より）開いて、柄部材１の内面９に強く圧接している。
【００１４】
図５は、第２の実施の形態を示す。グリップ部材５の切れ目７は、図５（Ａ）のように、十文字型に形成されている。この場合、図５（Ｂ）に示すようなコーン状のくさび８が交差部10に打込まれる。又は、図５（Ｃ）に示すように横断面十字状であって先端側へ肉薄となったくさび８を、十文字型の切れ目に打込んでも良い。
【００１５】
なお、本考案は、設計変更可能であって、例えば、切れ目７を星型に形成するも良い。この場合、くさび８は、例えば、コーン型や、断面星型に形成される。
【００１６】
以上のように、本考案は、柄部材１が金属製パイプから成り、柄部材１がその基端４に略円柱状木製グリップ部材５を有する刈込鋏であって、グリップ部材５がその先端６に切れ目７を有し、グリップ部材５の先端６が柄部材１の基端４に挿入されると共に、くさび８が切れ目７に圧入されて柄部材１の内面９に先端６が密着状に固着されているので、グリップ部材５が手によくなじんで確実に把持することができて使い心地が良い。また、製造するのが容易であるとともに、グリップ部材５を確実に柄部材１に固着することができる（すなわち、グリップ部材５が柄部材１から離脱するのを防止することができる）。
【００１７】
また、柄部材１が、両端11が軸心Ｌ直交面状に切断されたアルミパイプから成り、柄部材１がその基端４に略円柱状天然木製グリップ部材５を有する刈込鋏であって、グリップ部材５がその先端６に切れ目７を有し、グリップ部材５の先端６が柄部材１の基端４に挿入されると共に、くさび８が切れ目７に圧入されて柄部材１の内面９に先端６が密着状に固着されているので、グリップ部材５が手によくなじんで確実に把持することができて使い心地が良い。また、製造するのが容易であるとともに、グリップ部材５を確実に柄部材１に固着することができる（すなわち、グリップ部材５が柄部材１から離脱するのを防止することができる）。さらに、軽量化を図ることができて一層使い心地が良い。
【００１８】
また、柄部材１が金属製パイプから成り、柄部材１がその基端４に略円柱状木製グリップ部材５を有する刈込鋏であって、グリップ部材５がその先端６に一文字型切れ目７を有し、グリップ部材５の先端６が柄部材１の基端４に挿入されると共に、板片状くさび８が切れ目７に圧入されて柄部材１の内面９に先端６が密着状に固着されているので、グリップ部材５が手によくなじんで確実に把持することができて使い心地が良い。また、製造するのが容易であるとともに、グリップ部材５を確実に柄部材１に固着することができる（すなわち、グリップ部材５が柄部材１から離脱するのを防止することができる）。
【図面の簡単な説明】
【００１９】
【図１】本考案の第１の実施の形態を示す正面図である。
【図２】要部拡大平面図である。
【図３】要部拡大一部断面正面図である。
【図４】要部拡大一部断面正面図である。
【図５】第２の実施の形態を示す説明図であって、（Ａ）は要部平面図、（Ｂ）（Ｃ）はくさびの変形例を示す斜視図である。
【符号の説明】
【００２０】
１  柄部材
４  基端
５  グリップ部材
６  先端
７  切れ目
８  くさび
９  内面
11  両端
Ｌ  軸心
【図１】
0003102867.tif 000003
【図２】
0003102867.tif 000004
【図３】
0003102867.tif 000005
【図４】
0003102867.tif 000006
【図５】
0003102867.tif 000007